【手続補正書】
【提出日】平成18年7月7日(2006.7.7)
【手続補正１】
【補正対象書類名】明細書
【補正対象項目名】特許請求の範囲
【補正方法】変更
【補正の内容】
【特許請求の範囲】
【請求項１】
患者の生体音を集音する集音手段と、患者の生体音データのデータ処理を行うデータ処理端末と、前記データ処理端末に接続されたデータベースとを含んで構成される診察支援システムであって、
前記集音手段により集音を行った集音位置を検出する位置検出手段を備え、
前記データ処理端末は、
前記集音手段により集音された生体音の生体音データと、患者の識別情報と、前記位置検出手段により検出された集音位置の情報とを対応付けてデータベースに保存させるデータ保存手段と、
聴診対象の患者の識別情報を入力する入力手段と、
前記入力された患者の識別情報に対応する生体音データを前記データベースから取得する取得手段と、
を備えることを特徴とする診察支援システム。
【請求項２】
前記集音位置の情報は、集音時における前記集音手段の移動位置を示す座標値の情報であり、
前記位置検出手段は、前記集音位置の情報として、前記集音手段の初期位置に対する相対的な移動位置を示す座標値を算出することを特徴とする請求項１に記載の診察支援システム。
【請求項３】
前記集音手段に加速度センサを設け、
前記位置検出手段は、前記加速度センサからの出力信号に基づいて、前記集音手段の移動位置を検出することを特徴とする請求項２に記載の診察支援システム。
【請求項４】
前記データ処理端末において、
異なる複数の生体音データを視覚的に比較可能に表示する生体音表示手段を備えることを特徴とする請求項１〜３の何れか一項に記載の診察支援システム。
【請求項５】
前記データ処理端末において、
異なる複数の生体音データを比較した比較結果を表示する比較結果表示手段を備えることを特徴とする請求項１〜４の何れか一項に記載の診察支援システム。
【請求項６】
前記異なる複数の生体音データは、特定の患者の生体音データであり、当該患者の識別情報を用いてデータベースから取得された生体音データが含まれることを特徴とする請求項４又は５に記載の診察支援システム。
【請求項７】
前記取得手段により取得された生体音データに基づいて、生体音を再生する音再生手段を備えることを特徴とする請求項１〜６の何れか一項に記載の診察支援システム。
【請求項８】
前記データ処理端末において、
前記入力手段は、前記集音手段により生体音を集音する際に、当該集音手段の識別情報を入力し、
前記データ保存手段は、生体音データの付帯情報として前記入力された集音手段の識別情報をデータベースに保存させることを特徴とする請求項１〜７の何れか一項に記載の診察支援システム。
【請求項９】
前記データ処理端末において、
前記入力手段は、前記集音手段により生体音を集音する際に、生体音の集音操作を行った操作者の識別情報を入力し、
前記データ保存手段は、生体音データの付帯情報として前記入力された操作者の識別情報をデータベースに保存させることを特徴とする請求項１〜８の何れか一項に記載の診察支援システム。
【請求項１０】
前記データ処理端末のデータ保存手段は、生体音データの付帯情報として前記検出された集音位置の情報をデータベースに保存させることを特徴とする請求項１〜９の何れか一項に記載の診察支援システム。
【請求項１１】
前記データ処理端末において、
前記集音手段により集音が行われた日時を計時する計時手段を備え、
前記データ保存手段は、生体音データの付帯情報として前記計時手段により計時された集音日時の情報をデータベースに保存させることを特徴とする請求項１〜１０の何れか一項に記載の診察支援システム。
【請求項１２】
前記データ処理端末において、
前記入力手段は、前記データベースから生体音データを取得する際に、集音手段の識別情報、操作者の識別情報、集音位置の情報、集音日時の情報の何れかの付帯情報を指定入力し、
前記取得手段は、前記入力手段により指定入力された付帯情報に対応する生体音データを前記データベースから取得することを特徴とする請求項８〜１１の何れか一項に記載の診察支援システム。
【請求項１３】
患者の生体音を集音する集音手段により集音された生体音の生体音データと、その集音位置を検出する位置検出手段により検出された集音位置の情報と、患者の識別情報とを対応付けてデータベースに保存させるデータ保存手段と、
聴診対象の患者の識別情報を入力する入力手段と、
前記入力された患者の識別情報に対応する生体音データを前記データベースから取得する取得手段と、
を備えることを特徴とするデータ処理端末。
【請求項１４】
前記集音位置の情報は、集音時における前記集音手段の移動位置を示す座標値の情報であり、
前記位置検出手段は、前記集音位置の情報として、前記集音手段の初期位置に対する相対的な移動位置を示す座標値を算出することを特徴とする請求項１３に記載のデータ処理端末。
【請求項１５】
前記位置検出手段は、前記集音手段に設けられた加速度センサからの出力信号に基づいて、前記集音手段の移動位置を検出することを特徴とする請求項１４に記載のデータ処理端末。
【請求項１６】
異なる複数の生体音データを視覚的に比較可能に表示する生体音表示手段を備えることを特徴とする請求項１３〜１５の何れか一項に記載のデータ処理端末。
【請求項１７】
異なる複数の生体音データを比較した比較結果を表示する比較結果表示手段を備えることを特徴とする請求項１３〜１６の何れか一項に記載のデータ処理端末。
【請求項１８】
前記異なる複数の生体音データは、特定の患者の生体音データであり、当該患者の識別情報を用いてデータベースから取得された生体音データが含まれることを特徴とする請求項１６又は１７に記載のデータ処理端末。
【請求項１９】
前記取得手段により取得された生体音データに基づいて、音再生手段に生体音を再生させることを特徴とする請求項１３〜１８の何れか一項に記載のデータ処理端末。
【請求項２０】
前記入力手段は、前記集音手段により生体音を集音する際に、当該集音手段の識別情報を入力し、
前記データ保存手段は、生体音データの付帯情報として前記入力された集音手段の識別情報をデータベースに保存させることを特徴とする請求項１３〜１９の何れか一項に記載のデータ処理端末。
【請求項２１】
前記入力手段は、前記集音手段により生体音を集音する際に、生体音の集音操作を行った操作者の識別情報を入力し、
前記データ保存手段は、生体音データの付帯情報として前記入力された操作者の識別情報をデータベースに保存させることを特徴とする請求項１３〜２０の何れか一項に記載のデータ処理端末。
【請求項２２】
前記データ保存手段は、前記位置検出手段により集音位置が検出されると、生体音データの付帯情報として当該検出された集音位置の情報をデータベースに保存させることを特徴とする請求項１３〜２１の何れか一項に記載のデータ処理端末。
【請求項２３】
前記集音手段により集音が行われた日時を計時する計時手段を備え、
前記データ保存手段は、生体音データの付帯情報として前記計時手段により計時された集音日時の情報をデータベースに保存させることを特徴とする請求項１３〜２２の何れか一項に記載のデータ処理端末。
【請求項２４】
前記入力手段は、前記データベースから生体音データを取得する際に、集音手段の識別情報、操作者の識別情報、集音位置の情報、集音日時の情報の何れかの付帯情報を指定入力し、
前記取得手段は、前記入力手段により指定入力された付帯情報に対応する生体音データを前記データベースから取得することを特徴とする請求項２０〜２３の何れか一項に記載のデータ処理端末。
【請求項２５】
コンピュータを、
患者の生体音を集音する集音手段により集音された生体音の生体音データと、その集音位置を検出する位置検出手段により検出された集音位置の情報と、患者の識別情報とを対応付けてデータベースに保存させるデータ保存手段、
入力手段を介して入力された聴診対象の患者の識別情報に対応する生体音データを前記データベースから取得する取得手段、
として機能させるためのデータ処理プログラム。
【請求項２６】
前記集音位置の情報は、集音時における前記集音手段の移動位置を示す座標値の情報であり、
前記位置検出手段は、前記集音位置の情報として、前記集音手段の初期位置に対する相対的な移動位置を示す座標値を算出することを特徴とする請求項２５に記載のデータ処理プログラム。
【請求項２７】
前記位置検出手段は、前記集音手段に設けられた加速度センサからの出力信号に基づいて、前記集音手段の移動位置を検出することを特徴とする請求項２６に記載のデータ処理プログラム。
【請求項２８】
コンピュータをさらに、
異なる複数の生体音データを視覚的に比較可能に表示する生体音表示手段として機能させることを特徴とする請求項２５〜２７の何れか一項に記載のデータ処理プログラム。
【請求項２９】
コンピュータをさらに、
異なる複数の生体音データを比較した比較結果を表示する比較結果表示手段として機能させることを特徴とする請求項２５〜２８の何れか一項に記載のデータ処理プログラム。
【請求項３０】
前記異なる複数の生体音データは、特定の患者の生体音データであり、当該患者の識別情報を用いてデータベースから取得された生体音データが含まれることを特徴とする請求項２８又は２９に記載のデータ処理プログラム。
【請求項３１】
前記取得手段により取得された生体音データに基づいて、音再生手段に生体音を再生させる音再生機能を含むことを特徴とする請求項２５〜３０の何れか一項に記載のデータ処理プログラム。
【請求項３２】
前記データ保存手段は、前記集音手段により生体音を集音する際に、入力手段を介して集音手段の識別情報が入力されると、生体音データの付帯情報として当該入力された集音手段の識別情報をデータベースに保存させることを特徴とする請求項２５〜３１の何れか一項に記載のデータ処理プログラム。
【請求項３３】
前記データ保存手段は、前記集音手段により生体音を集音する際に、入力手段を介して生体音の集音操作を行った操作者の識別情報が入力されると、生体音データの付帯情報として当該入力された操作者の識別情報をデータベースに保存させることを特徴とする請求項２５〜３２の何れか一項に記載のデータ処理プログラム。
【請求項３４】
前記データ保存手段は、集音手段により集音を行った集音位置を検出する位置検出手段により集音位置が検出されると、生体音データの付帯情報として当該検出された集音位置の情報をデータベースに保存させることを特徴とする請求項２５〜３３の何れか一項に記載のデータ処理プログラム。
【請求項３５】
コンピュータをさらに、
前記集音手段により集音が行われた日時を計時する計時手段として機能させ、
前記データ保存手段は0、生体音データの付帯情報として前記計時された集音日時の情報をデータベースに保存させることを特徴とする請求項２５〜３４の何れか一項に記載のデータ処理プログラム。
【請求項３６】
前記取得手段は、前記データベースから生体音データを取得する際に、入力手段を介して集音手段の識別情報、操作者の識別情報、集音位置の情報、集音日時の情報の何れかの付帯情報が指定入力されると、当該指定入力された付帯情報に対応する生体音データを前記データベースから取得することを特徴とする請求項３２〜３５の何れか一項に記載のデータ処理プログラム。
【手続補正２】
【補正対象書類名】明細書
【補正対象項目名】０００８
【補正方法】変更
【補正の内容】
【０００８】
【課題を解決するための手段】
請求項１に記載の発明は、
患者の生体音を集音する集音手段と、患者の生体音データのデータ処理を行うデータ処理端末と、前記データ処理端末に接続されたデータベースとを含んで構成される診察支援システムであって、
前記集音手段により集音を行った集音位置を検出する位置検出手段を備え、
前記データ処理端末は、
前記集音手段により集音された生体音の生体音データと、患者の識別情報と、前記位置検出手段により検出された集音位置の情報とを対応付けてデータベースに保存させるデータ保存手段と、
聴診対象の患者の識別情報を入力する入力手段と、
前記入力された患者の識別情報に対応する生体音データを前記データベースから取得する取得手段と、
を備えることを特徴とする。
請求項２に記載の発明は、請求項１に記載の診察支援システムにおいて、
前記集音位置の情報は、集音時における前記集音手段の移動位置を示す座標値の情報であり、
前記位置検出手段は、前記集音位置の情報として、前記集音手段の初期位置に対する相対的な移動位置を示す座標値を算出することを特徴とする。
請求項３に記載の発明は、請求項２に記載の診察支援システムにおいて、
前記集音手段に加速度センサを設け、
前記位置検出手段は、前記加速度センサからの出力信号に基づいて、前記集音手段の移動位置を検出することを特徴とする。
【手続補正３】
【補正対象書類名】明細書
【補正対象項目名】０００９
【補正方法】変更
【補正の内容】
【０００９】
請求項１３に記載の発明は、データ処理端末において、
患者の生体音を集音する集音手段により集音された生体音の生体音データと、その集音位置を検出する位置検出手段により検出された集音位置の情報と、患者の識別情報とを対応付けてデータベースに保存させるデータ保存手段と、
聴診対象の患者の識別情報を入力する入力手段と、
前記入力された患者の識別情報に対応する生体音データを前記データベースから取得する取得手段と、
を備えることを特徴とする。
請求項１４に記載の発明は、請求項１３に記載のデータ処理端末において、
前記集音位置の情報は、集音時における前記集音手段の移動位置を示す座標値の情報であり、
前記位置検出手段は、前記集音位置の情報として、前記集音手段の初期位置に対する相対的な移動位置を示す座標値を算出することを特徴とする。
請求項１５に記載の発明は、請求項１４に記載のデータ処理端末において、
前記位置検出手段は、前記集音手段に設けられた加速度センサからの出力信号に基づいて、前記集音手段の移動位置を検出することを特徴とする。
【手続補正４】
【補正対象書類名】明細書
【補正対象項目名】００１０
【補正方法】変更
【補正の内容】
【００１０】
請求項２５に記載の発明は、
コンピュータを、
患者の生体音を集音する集音手段により集音された生体音の生体音データと、その集音位置を検出する位置検出手段により検出された集音位置の情報と、患者の識別情報とを対応付けてデータベースに保存させるデータ保存手段、
入力手段を介して入力された聴診対象の患者の識別情報に対応する生体音データを前記データベースから取得する取得手段、
として機能させるためのデータ処理プログラムであることを特徴とする。
請求項２６に記載の発明は、請求項２５に記載のデータ処理プログラムにおいて、
前記集音位置の情報は、集音時における前記集音手段の移動位置を示す座標値の情報であり、
前記位置検出手段は、前記集音位置の情報として、前記集音手段の初期位置に対する相対的な移動位置を示す座標値を算出することを特徴とする。
請求項２７に記載の発明は、請求項２６に記載のデータ処理プログラムにおいて、
前記位置検出手段は、前記集音手段に設けられた加速度センサからの出力信号に基づいて、前記集音手段の移動位置を検出することを特徴とする。
【手続補正５】
【補正対象書類名】明細書
【補正対象項目名】００１１
【補正方法】変更
【補正の内容】
【００１１】
請求項１〜３、１３〜１５、２５〜２７に記載の発明によれば、患者の生体音データ、集音位置の情報を患者の識別情報と対応付けてデータベースに保存し、患者の識別情報を用いて当該患者に対応する生体音データ、集音位置の情報をデータベースから取得するので、データベースに保存された生体音データを読み出して聴診する際に、聴診対象の患者を指定することができ、聴診対象の患者が複数いる場合でも、生体音がどの患者のものであるか、どの部位の生体音であるかが判別可能となる。従って、患者の生体音データの取り違えを防ぐことができ、信頼性の高い診察支援を行うことができる。
【手続補正６】
【補正対象書類名】明細書
【補正対象項目名】００１２
【補正方法】変更
【補正の内容】
【００１２】
請求項４に記載の発明は、請求項１〜３の何れか一項に記載の診察支援システムにおいて、
前記データ処理端末において、
異なる複数の生体音データを視覚的に比較可能に表示する生体音表示手段を備えることを特徴とする。
【手続補正７】
【補正対象書類名】明細書
【補正対象項目名】００１３
【補正方法】変更
【補正の内容】
【００１３】
請求項１６に記載の発明は、請求項１３〜１５の何れか一項に記載のデータ処理端末において、
異なる複数の生体音データを視覚的に比較可能に表示する生体音表示手段を備えることを特徴とする。
【手続補正８】
【補正対象書類名】明細書
【補正対象項目名】００１４
【補正方法】変更
【補正の内容】
【００１４】
請求項２８に記載の発明は、請求項２５〜２７の何れか一項に記載のデータ処理プログラムにおいて、
コンピュータをさらに、
異なる複数の生体音データを視覚的に比較可能に表示する生体音表示手段として機能させることを特徴とする。
【手続補正９】
【補正対象書類名】明細書
【補正対象項目名】００１５
【補正方法】変更
【補正の内容】
【００１５】
請求項４、１６、２８に記載の発明によれば、異なる複数の生体音データを比較可能に表示するので、聴診者は例えば過去と現在における生体音データ、左胸部と右胸部における生体音データを視覚的に比較することができ、病状の進行状況や快復状況等を判断することができる。
【手続補正１０】
【補正対象書類名】明細書
【補正対象項目名】００１６
【補正方法】変更
【補正の内容】
【００１６】
請求項５に記載の発明は、請求項１〜４の何れか一項に記載の診察支援システムにおいて、
前記データ処理端末において、
異なる複数の生体音データを比較した比較結果を表示する比較結果表示手段を備えることを特徴とする。
【手続補正１１】
【補正対象書類名】明細書
【補正対象項目名】００１７
【補正方法】変更
【補正の内容】
【００１７】
請求項１７に記載の発明は、請求項１３〜１６の何れか一項に記載のデータ処理端末において、
異なる複数の生体音データを比較した比較結果を表示する比較結果表示手段を備えることを特徴とする。 
【手続補正１２】
【補正対象書類名】明細書
【補正対象項目名】００１８
【補正方法】変更
【補正の内容】
【００１８】
請求項２９に記載の発明は、請求項２５〜２８の何れか一項に記載のデータ処理プログラムにおいて、
コンピュータをさらに、
異なる複数の生体音データを比較した比較結果を表示する比較結果表示手段として機能させることを特徴とする。
【手続補正１３】
【補正対象書類名】明細書
【補正対象項目名】００１９
【補正方法】変更
【補正の内容】
【００１９】
請求項５、１７、２９に記載の発明によれば、複数の生体音データの比較結果を表示するので、信頼性が高い診断支援を行うことができる。なお、比較結果は音により示すこととしてもよいし、比較結果表示手段とは異なる表示手段により視認可能に表示してもよい。また、比較結果は、聴診音再生中に注目すべきタイミングで注意を促す音を再生したりマークを表示したりしてもよいし、比較結果をアナウンス又は文章や記号で表示することとしてもよい。
【手続補正１４】
【補正対象書類名】明細書
【補正対象項目名】００２０
【補正方法】変更
【補正の内容】
【００２０】
請求項６に記載の発明は、請求項４又は５に記載の診察支援システムにおいて、
前記異なる複数の生体音データは、特定の患者の生体音データであり、当該患者の識別情報を用いてデータベースから取得された生体音データが含まれることを特徴とする。
【手続補正１５】
【補正対象書類名】明細書
【補正対象項目名】００２１
【補正方法】変更
【補正の内容】
【００２１】
請求項１８に記載の発明は、請求項１６又は１７に記載のデータ処理端末において、
前記異なる複数の生体音データは、特定の患者の生体音データであり、当該患者の識別情報を用いてデータベースから取得された生体音データが含まれることを特徴とする。
【手続補正１６】
【補正対象書類名】明細書
【補正対象項目名】００２２
【補正方法】変更
【補正の内容】
【００２２】
請求項３０に記載の発明は、請求項２８又は２９に記載のデータ処理プログラムにおいて、
前記異なる複数の生体音データは、特定の患者の生体音データであり、当該患者の識別情報を用いてデータベースから取得された生体音データが含まれることを特徴とする。
【手続補正１７】
【補正対象書類名】明細書
【補正対象項目名】００２３
【補正方法】変更
【補正の内容】
【００２３】
請求項６、８、３０に記載の発明によれば、同一患者の複数の生体音データを得て診察支援ができ、診察の効率向上に寄与する。なお、異なる複数の生体音データは、データベースから取得された生体音データと集音後に生成されたばかりのデータベース保存前の生体音データ等であってもよい。この場合、集音したばかりの現在の生体音と過去の生体音とを比較することができ、速やかな診察支援により診察効率の向上に寄与する。また、データ処理端末が生体音データを複数記憶可能である場合、異なる複数の生体音データは、データベースから取得された同一患者の複数の生体音データであってもよい。この場合、最近保存された生体音データと過去の生体音データを比較するものであっても、過去の生体音データ同士を比較するものであってもよい。
【手続補正１８】
【補正対象書類名】明細書
【補正対象項目名】００２４
【補正方法】変更
【補正の内容】
【００２４】
請求項７に記載の発明は、請求項１〜６の何れか一項に記載の診察支援システムにおいて、
前記取得手段により取得された生体音データに基づいて、生体音を再生する音再生手段を備えることを特徴とする。
【手続補正１９】
【補正対象書類名】明細書
【補正対象項目名】００２５
【補正方法】変更
【補正の内容】
【００２５】
請求項１９に記載の発明は、請求項１３〜１８の何れか一項に記載のデータ処理端末において、
前記取得手段により取得された生体音データに基づいて、音再生手段に生体音を再生させることを特徴とする。
【手続補正２０】
【補正対象書類名】明細書
【補正対象項目名】００２６
【補正方法】変更
【補正の内容】
【００２６】
請求項３１に記載の発明は、請求項２５〜３０の何れか一項に記載のデータ処理プログラムにおいて、
前記取得手段により取得された生体音データに基づいて、音再生手段に生体音を再生させる音再生機能を含むことを特徴とする。
【手続補正２１】
【補正対象書類名】明細書
【補正対象項目名】００２７
【補正方法】変更
【補正の内容】
【００２７】
請求項７、１９、３１に記載の発明によれば、生体音データをデータベースから取得して生体音を再生するので、聴診者は、データベースに保存されている過去の生体音を聴診することができる。従って、過去や現在等、比較したい生体音を順次再生することにより、聴覚的な比較を行うことができる。
【手続補正２２】
【補正対象書類名】明細書
【補正対象項目名】００２８
【補正方法】変更
【補正の内容】
【００２８】
請求項８に記載の発明は、請求項１〜７の何れか一項に記載の診察支援システムにおいて、
前記データ処理端末において、
前記入力手段は、前記集音手段により生体音を集音する際に、当該集音手段の識別情報を入力し、
前記データ保存手段は、生体音データの付帯情報として前記入力された集音手段の識別情報をデータベースに保存させることを特徴とする。
【手続補正２３】
【補正対象書類名】明細書
【補正対象項目名】００２９
【補正方法】変更
【補正の内容】
【００２９】
請求項２０に記載の発明は、請求項１３〜１９の何れか一項に記載のデータ処理端末において、
前記入力手段は、前記集音手段により生体音を集音する際に、当該集音手段の識別情報を入力し、
前記データ保存手段は、生体音データの付帯情報として前記入力された集音手段の識別情報をデータベースに保存させることを特徴とする。
【手続補正２４】
【補正対象書類名】明細書
【補正対象項目名】００３０
【補正方法】変更
【補正の内容】
【００３０】
請求項３２に記載の発明は、請求項２５〜３１の何れか一項に記載のデータ処理プログラムにおいて、
前記データ保存手段は、前記集音手段により生体音を集音する際に、入力手段を介して集音手段の識別情報が入力されると、生体音データの付帯情報として当該入力された集音手段の識別情報をデータベースに保存させることを特徴とする。
【手続補正２５】
【補正対象書類名】明細書
【補正対象項目名】００３１
【補正方法】変更
【補正の内容】
【００３１】
請求項８、２０、３２に記載の発明によれば、生体音データの付帯情報として集音手段の識別情報をデータベースに保存するので、どの集音手段で集音された生体音データであるのかを容易に判別することができる。例えば、後日不都合が発見された集音手段に関する生体音データは聴診に用いない等の対応をとることが可能となり、適切な診断の支援を行うことができる。
【手続補正２６】
【補正対象書類名】明細書
【補正対象項目名】００３２
【補正方法】変更
【補正の内容】
【００３２】
請求項９に記載の発明は、請求項１〜８の何れか一項に記載の診察支援システムにおいて、
前記データ処理端末において、
前記入力手段は、前記集音手段により生体音を集音する際に、生体音の集音操作を行った操作者の識別情報を入力し、
前記データ保存手段は、生体音データの付帯情報として前記入力された操作者の識別情報をデータベースに保存させることを特徴とする。
【手続補正２７】
【補正対象書類名】明細書
【補正対象項目名】００３３
【補正方法】変更
【補正の内容】
【００３３】
請求項２１に記載の発明は、請求項１３〜２０の何れか一項に記載のデータ処理端末において、
前記入力手段は、前記集音手段により生体音を集音する際に、生体音の集音操作を行った操作者の識別情報を入力し、
前記データ保存手段は、生体音データの付帯情報として前記入力された操作者の識別情報をデータベースに保存させることを特徴とする。
【手続補正２８】
【補正対象書類名】明細書
【補正対象項目名】００３４
【補正方法】変更
【補正の内容】
【００３４】
請求項３３に記載の発明は、請求項２５〜３２の何れか一項に記載のデータ処理プログラムにおいて、
前記データ保存手段は、前記集音手段により生体音を集音する際に、入力手段を介して生体音の集音操作を行った操作者の識別情報が入力されると、生体音データの付帯情報として当該入力された操作者の識別情報をデータベースに保存させることを特徴とする。
【手続補正２９】
【補正対象書類名】明細書
【補正対象項目名】００３５
【補正方法】変更
【補正の内容】
【００３５】
請求項９、２１、３３に記載の発明によれば、生体音データの付帯情報として操作者の識別情報をデータベースに保存するので、操作者の識別情報を元にデータベースから生体音データを取得することが可能となり、例えば生体音データを比較する場合に同一の操作者により集音された生体音データを取得して操作者により異なる操作特性を考慮した診察を行うことができる。
【手続補正３０】
【補正対象書類名】明細書
【補正対象項目名】００３６
【補正方法】変更
【補正の内容】
【００３６】
請求項１０に記載の発明は、請求項１〜９の何れか一項に記載の診察支援システムにおいて、
前記データ処理端末のデータ保存手段は、生体音データの付帯情報として前記検出された集音位置の情報をデータベースに保存させることを特徴とする。
【手続補正３１】
【補正対象書類名】明細書
【補正対象項目名】００３７
【補正方法】変更
【補正の内容】
【００３７】
請求項２２に記載の発明は、請求項１３〜２１の何れか一項に記載のデータ処理端末において、
前記データ保存手段は、前記位置検出手段により集音位置が検出されると、生体音データの付帯情報として当該検出された集音位置の情報をデータベースに保存させることを特徴とする。
【手続補正３２】
【補正対象書類名】明細書
【補正対象項目名】００３８
【補正方法】変更
【補正の内容】
【００３８】
請求項３４に記載の発明は、請求項２５〜３３の何れか一項に記載のデータ処理プログラムにおいて、
前記データ保存手段は、集音手段により集音を行った集音位置を検出する位置検出手段により集音位置が検出されると、生体音データの付帯情報として当該検出された集音位置の情報をデータベースに保存させることを特徴とする。
【手続補正３３】
【補正対象書類名】明細書
【補正対象項目名】００３９
【補正方法】変更
【補正の内容】
【００３９】
請求項１０、２２、３４に記載の発明によれば、生体音データの付帯情報として生体音の集音位置の情報をデータベースに保存するので、聴診者は、生体音がどの診察部位のものなのかを容易に把握することが可能となる。
【手続補正３４】
【補正対象書類名】明細書
【補正対象項目名】００４０
【補正方法】変更
【補正の内容】
【００４０】
請求項１１に記載の発明は、請求項１〜１０の何れか一項に記載の診察支援システムにおいて、
前記データ処理端末において、
前記集音手段により集音が行われた日時を計時する計時手段を備え、
前記データ保存手段は、生体音データの付帯情報として前記計時手段により計時された集音日時の情報をデータベースに保存させることを特徴とする。
【手続補正３５】
【補正対象書類名】明細書
【補正対象項目名】００４１
【補正方法】変更
【補正の内容】
【００４１】
請求項２３に記載の発明は、請求項１３〜２２の何れか一項に記載のデータ処理端末において、
前記集音手段により集音が行われた日時を計時する計時手段を備え、
前記データ保存手段は、生体音データの付帯情報として前記計時手段により計時された集音日時の情報をデータベースに保存させることを特徴とする。
【手続補正３６】
【補正対象書類名】明細書
【補正対象項目名】００４２
【補正方法】変更
【補正の内容】
【００４２】
請求項３５に記載の発明は、請求項２５〜３４の何れか一項に記載のデータ処理プログラムにおいて、
コンピュータをさらに、
前記集音手段により集音が行われた日時を計時する計時手段として機能させ、
前記データ保存手段は、生体音データの付帯情報として前記計時された集音日時の情報をデータベースに保存させることを特徴とする。
【手続補正３７】
【補正対象書類名】明細書
【補正対象項目名】００４３
【補正方法】変更
【補正の内容】
【００４３】
請求項１１、２３、３５に記載の発明によれば、生体音データの付帯情報として集音日時の情報をデータベースに保存するので、聴診者は、生体音がいつ集音されたものなのかを容易に把握することが可能となる。
【手続補正３８】
【補正対象書類名】明細書
【補正対象項目名】００４４
【補正方法】変更
【補正の内容】
【００４４】
請求項１２に記載の発明は、請求項８〜１１の何れか一項に記載の診察支援システムにおいて、
前記データ処理端末において、
前記入力手段は、前記データベースから生体音データを取得する際に、集音手段の識別情報、操作者の識別情報、集音位置の情報、集音日時の情報の何れかの付帯情報を指定入力し、
前記取得手段は、前記入力手段により指定入力された付帯情報に対応する生体音データを前記データベースから取得することを特徴とする。
【手続補正３９】
【補正対象書類名】明細書
【補正対象項目名】００４５
【補正方法】変更
【補正の内容】
【００４５】
請求項２４に記載の発明は、請求項２０〜２３の何れか一項に記載のデータ処理端末において、
前記入力手段は、前記データベースから生体音データを取得する際に、集音手段の識別情報、操作者の識別情報、集音位置の情報、集音日時の情報の何れかの付帯情報を指定入力し、
前記取得手段は、前記入力手段により指定入力された付帯情報に対応する生体音データを前記データベースから取得することを特徴とする。
【手続補正４０】
【補正対象書類名】明細書
【補正対象項目名】００４６
【補正方法】変更
【補正の内容】
【００４６】
請求項３６に記載の発明は、請求項３２〜３５の何れか一項に記載のデータ処理プログラムにおいて、
前記取得手段は、前記データベースから生体音データを取得する際に、入力手段を介して集音手段の識別情報、操作者の識別情報、集音位置の情報、集音日時の情報の何れかの付帯情報が指定入力されると、当該指定入力された付帯情報に対応する生体音データを前記データベースから取得することを特徴とする。
【手続補正４１】
【補正対象書類名】明細書
【補正対象項目名】００４７
【補正方法】変更
【補正の内容】
【００４７】
請求項１２、２４、３６に記載の発明によれば、付帯情報を元にその付帯情報に対応する生体音データを取得するので、聴診者は、集音手段の識別情報、操作者の識別情報、集音位置の情報、集音日時の情報の何れかを指定して聴診したい生体音データを取得することができる。従って、容易に所望の生体音データを検索することができ、診察効率の向上を図ることができる。
【手続補正４２】
【補正対象書類名】明細書
【補正対象項目名】００６１
【補正方法】変更
【補正の内容】
【００６１】
また、本実施の形態では、集音位置情報をｘｙｚ座標で示す例を説明するが、集音された位置が判別できるのであればこれに限らず、部位を示す情報（例えば、「胸部正面」、「胸部背面」、「腹部」、「腰部」等）と、その部位におけるさらに詳細な位置を示す情報（例えば、「上右部」、「下左部」、「下右部」等）とにより表現することとしてもよい。また、ＤＢ２０に集音日ＩＤ毎に部位を示す情報とその部位における詳細位置情報とを集音位置を識別するための集音位置ＩＤに対応付けて登録した集音位置テーブルを別に設け、生体音登録テーブル２６には、集音位置情報の代わりに集音位置ＩＤを登録するようにしてもよいし、他の形態であってもよい。
【手続補正４３】
【補正対象書類名】明細書
【補正対象項目名】０１０３
【補正方法】変更
【補正の内容】
【０１０３】
入力部３２を介して何れかの検索項目が選択入力され、その検索キーワードが入力されると、制御部３１により生体音登録テーブル２６において検索キーワードに該当する生体音データの検索が行われる（ステップＳ１０３）。例えば、検索項目として操作者の項目が選択され、検索キーワードとして“０２”の操作者ＩＤが入力された場合、図５（ｂ）に示す生体音登録テーブル２６からは、生体音ＩＤ“０００１００”が検索キーワードに該当する生体音データの生体音ＩＤとして検索される。
【手続補正４４】
【補正対象書類名】明細書
【補正対象項目名】０１２５
【補正方法】変更
【補正の内容】
【０１２５】
【発明の効果】
請求項１〜３、１３〜１５、２５〜２７に記載の発明によれば、患者の生体音データ、集音位置の情報を患者の識別情報と対応付けてデータベースに保存し、患者の識別情報を用いて当該患者に対応する生体音データ、集音位置の情報をデータベースから取得するので、データベースに保存された生体音データを読み出して聴診する際に、聴診対象の患者を指定することができ、聴診対象の患者が複数いる場合でも、生体音がどの患者のものであるか、どの部位の生体音であるかが判別可能となる。従って、患者の生体音データの取り違えを防ぐことができ、信頼性の高い診察支援を行うことができる。
【手続補正４５】
【補正対象書類名】明細書
【補正対象項目名】０１２６
【補正方法】変更
【補正の内容】
【０１２６】
請求項４、１６、２８に記載の発明によれば、異なる複数の生体音データを比較可能に表示するので、聴診者は例えば過去と現在における生体音データ、左胸部と右胸部における生体音データを視覚的に比較することができ、病状の進行状況や快復状況等を判断することができる。
【手続補正４６】
【補正対象書類名】明細書
【補正対象項目名】０１２７
【補正方法】変更
【補正の内容】
【０１２７】
請求項５、１７、２９に記載の発明によれば、複数の生体音データの比較結果を表示するので、信頼性が高い診断支援を行うことができる。
【手続補正４７】
【補正対象書類名】明細書
【補正対象項目名】０１２８
【補正方法】変更
【補正の内容】
【０１２８】
請求項６、１８、３０に記載の発明によれば、同一患者の複数の生体音データを得て診察支援ができ、診察の効率向上に寄与する。
【手続補正４８】
【補正対象書類名】明細書
【補正対象項目名】０１２９
【補正方法】変更
【補正の内容】
【０１２９】
請求項７、１９、３１に記載の発明によれば、生体音データをデータベースから取得して生体音を再生するので、聴診者は、データベースに保存されている過去の生体音を聴診することができる。従って、過去や現在等、比較したい生体音を順次再生することにより、聴覚的な比較を行うことができる。
【手続補正４９】
【補正対象書類名】明細書
【補正対象項目名】０１３０
【補正方法】変更
【補正の内容】
【０１３０】
請求項８、２０、３２に記載の発明によれば、生体音データの付帯情報として集音手段の識別情報をデータベースに保存するので、どの集音手段で集音された生体音データであるのかを容易に判別することができる。例えば、後日不都合が発見された集音手段に関する生体音データは聴診に用いない等の対応をとることが可能となり、適切な診断の支援を行うことができる。
【手続補正５０】
【補正対象書類名】明細書
【補正対象項目名】０１３１
【補正方法】変更
【補正の内容】
【０１３１】
請求項９、２１、３３に記載の発明によれば、生体音データの付帯情報として操作者の識別情報をデータベースに保存するので、操作者の識別情報を元にデータベースから生体音データを取得することが可能となり、例えば生体音データを比較する場合に同一の操作者により集音された生体音データを取得して操作者により異なる操作特性を考慮した診察を行うことができる。
【手続補正５１】
【補正対象書類名】明細書
【補正対象項目名】０１３２
【補正方法】変更
【補正の内容】
【０１３２】
請求項１０、２２、３４に記載の発明によれば、生体音データの付帯情報として生体音の集音位置の情報をデータベースに保存するので、聴診者は、生体音がどの診察部位のものなのかを容易に把握することが可能となる。
【手続補正５２】
【補正対象書類名】明細書
【補正対象項目名】０１３３
【補正方法】変更
【補正の内容】
【０１３３】
請求項１１、２３、３５に記載の発明によれば、生体音データの付帯情報として集音日時の情報をデータベースに保存するので、聴診者は、生体音がいつ集音されたものなのかを容易に把握することが可能となる。
【手続補正５３】
【補正対象書類名】明細書
【補正対象項目名】０１３４
【補正方法】変更
【補正の内容】
【０１３４】
請求項１２、２４、３６に記載の発明によれば、付帯情報を元にその付帯情報に対応する生体音データを取得するので、聴診者は、集音手段の識別情報、操作者の識別情報、集音位置の情報、集音日時の情報の何れかを指定して聴診したい生体音データを取得することができる。従って、容易に所望の生体音データを検索することができ、診察効率の向上を図ることができる。